【手続補正書】
【提出日】平成27年4月17日(2015.4.17)
【手続補正１】
【補正対象書類名】特許請求の範囲
【補正対象項目名】全文
【補正方法】変更
【補正の内容】
【特許請求の範囲】
【請求項１】
第１位置と該第１位置とは異なる第２位置との間において移動する移動体と、前記移動体を移動させる駆動源と、表示手段と、を備える遊技機であって、
前記移動体は、前記第１位置または前記第２位置へ移動したときに前記表示手段に重複し、
前記移動体を前記第２位置から前記第１位置に移動させるときにおいては前記駆動源の動力を補うとともに、前記移動体を前記第１位置から前記第２位置に移動させるときにおいては前記駆動源の動力に抗して該移動体の移動速度を調整する調整手段を備える
ことを特徴とする遊技機。
【手続補正２】
【補正対象書類名】明細書
【補正対象項目名】０００１
【補正方法】変更
【補正の内容】
【０００１】
本発明は、第１位置と該第１位置とは異なる第２位置との間において移動する移動体と、前記移動体を移動させる駆動源と、表示手段と、を備える遊技機に関する。
【手続補正３】
【補正対象書類名】明細書
【補正対象項目名】０００３
【補正方法】変更
【補正の内容】
【０００３】
このような遊技機において、ベース部と、該ベース部に対して第１位置と第２位置との間で移動可能に設けられた可動部とからなる演出装置を備えるもの等がある（例えば、特許文献１参照）。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
本発明は、このような問題点に着目してなされたもので、移動体を移動させる駆動源の負荷を軽減させることができる遊技機を提供することを目的とする。
【手続補正６】
【補正対象書類名】明細書
【補正対象項目名】０００７
【補正方法】変更
【補正の内容】
【０００７】
前記課題を解決するために、本発明の請求項１に記載の遊技機は、
第１位置と該第１位置とは異なる第２位置との間において移動する移動体と、前記移動体を移動させる駆動源と、表示手段と、を備える遊技機であって、
前記移動体は、前記第１位置または前記第２位置へ移動したときに前記表示手段に重複し、
前記移動体を前記第２位置から前記第１位置に移動させるときにおいては前記駆動源の動力を補うとともに、前記移動体を前記第１位置から前記第２位置に移動させるときにおいては前記駆動源の動力に抗して該移動体の移動速度を調整する調整手段を備える
ことを特徴としている。
この特徴によれば、移動体を移動させる駆動源の負荷を軽減させることができる。
本発明の手段１の遊技機は、
ベース部（前昇降板３３１／３３１’）と、該ベース部に対して第１位置（下降位置）と第２位置（上昇位置）との間で移動可能に設けられた移動部（昇降ギヤ部材３３２／３３２’）と、を有する可動ユニット（可動ユニット３０２）を備える遊技機（パチンコ遊技機１）であって、
前記可動ユニットは、
前記ベース部に設けられたベース側取付部（バネ取付部３４５）と前記移動部に設けられた移動側取付部（バネ取付部３５３）とに架け渡され、該移動部を前記第２位置側から前記第１位置側に向けて付勢する付勢部材（コイルバネ３７０）と、
前記ベース部に設けられ、前記付勢部材の付勢力が付与されている状態で前記移動部を前記第１位置に保持する保持手段（保持部３４１ａ，３４１ｂ／保持部１３４１）と、を備え、
前記保持手段は、
前記移動部の前記第２位置側から前記第１位置側への移動を規制する第１規制部（第１規制部３４１ｃ／第１規制部１３４１ｃ）と、
前記移動部の前記ベース部から離れる方向への移動を規制する第２規制部（第２規制部３４１ｄ／第２規制部１３４１ｄ）と、を含む
ことを特徴としている。
この特徴によれば、ベース部に対し移動部を移動可能に組み付ける組付工程において、移動部が第１位置にて保持手段により保持されることで、付勢部材による付勢力により、移動部が第１位置からさらに付勢部材の付勢方向へ移動したり、ベース部から離脱する方向へ移動したりすることがないので、付勢部材を、付勢力が付与された状態でもベース側取付部と移動側取付部とに容易に架け渡すことができる。
【手続補正７】
【補正対象書類名】明細書
【補正対象項目名】０００８
【補正方法】変更
【補正の内容】
【０００８】
本発明の手段２の遊技機は、手段１に記載の遊技機であって、
前記移動部（昇降ギヤ部材３３２／３３２’）は、前記ベース部（前昇降板３３１／３３１’）の一面（前面）側に配設され、
前記ベース側取付部（バネ取付部３４５）及び前記移動側取付部（バネ取付部３５３）は、前記ベース部の他面（背面）側に配設されている（図１３参照）
ことを特徴としている。
この特徴によれば、ベース部の他面側に付勢部材が配設されるため、ベース部と移動部とを極力近づけて配設することができるばかりか、付勢部材が一面側に配設される場合よりもベース部に対して移動部が離れにくくなり、移動時の安定性が向上する。
【手続補正８】
【補正対象書類名】明細書
【補正対象項目名】０００９
【補正方法】変更
【補正の内容】
【０００９】
本発明の手段３の遊技機は、手段１または手段２に記載の遊技機であって、
前記移動部（昇降ギヤ部材３３２／３３２’）において前記保持手段（保持部３４１ａ，３４１ｂ／保持部１３４１）により保持される被保持手段（被保持片３５２ａ，３５２ｂ）は、板状部材にて構成されている（図１３（ｂ）参照）
ことを特徴としている。
この特徴によれば、被保持手段が板状部材からなることで、保持手段をベース部から大きく突出させることなく保持することができる。
【手続補正９】
【補正対象書類名】明細書
【補正対象項目名】００１０
【補正方法】変更
【補正の内容】
【００１０】
本発明の手段４の遊技機は、手段１〜３のいずれかに記載の遊技機であって、
前記移動部（昇降ギヤ部材３３２／３３２’）の移動に連動して動作する連動動作部（例えば、第１可動装飾ベース３６１ａ，３６１ｂ等）を備え、
前記移動部は、前記第１位置（下降位置）から前記第２位置（上昇位置）に向けて移動した後、前記連動動作部に設けられた連動動作規制部（第１可動装飾ベース３６１ａ，３６１ｂの背面）により、前記ベース部（前昇降板３３１／３３１’）から離れる方向への移動が規制される（図１２参照）
ことを特徴としている。
この特徴によれば、移動部は、第１位置から移動して保持手段による保持状態が解除された後、連動動作規制部により離脱が規制されるため、安定して移動することができる。
【手続補正１０】
【補正対象書類名】明細書
【補正対象項目名】００１１
【補正方法】変更
【補正の内容】
【００１１】
本発明の手段５の遊技機は、手段１〜４のいずれかに記載の遊技機であって、
前記ベース部（前昇降板３３１／３３１’）には、装飾部材（固定装飾ベース３６０等）を取り付けるための一対の取付ボス部（取付ボス３６７，３６７）が前記移動部（昇降ギヤ部材３３２の縦板部３３２ｂ）を挟むように設けられている
ことを特徴としている。
この特徴によれば、装飾部材の取り付け位置の決定が容易になるとともに、移動部の位置決めも簡単に行うことができる。
【手続補正１１】
【補正対象書類名】明細書
【補正対象項目名】００１２
【補正方法】変更
【補正の内容】
【００１２】
本発明の手段６の遊技機は、手段１〜５のいずれかに記載の遊技機であって、
前記可動ユニット（可動ユニット３０２）は、所定の取付部（ベース板３２０）に対して可動（昇降）自在に設けられ、
前記可動ユニットの可動に応じて、前記移動部（昇降ギヤ部材３３２／３３２’）に設けられた係合部（バネ取付部３５３の先端部）が前記ベース部または該ベース部側の部材（後昇降板３３０）に設けられた被係合部（案内溝３３４の下端）に係合することで、該ベース部に対し該移動部が移動する
ことを特徴としている。
この特徴によれば、取付部に対する可動ユニットの可動により、係合部が被係合部に係合してベース部に対し移動部が相対移動するため、取付部に対する可動ユニットの可動を利用してベース部に対し移動部を移動させることができる。
【手続補正１２】
【補正対象書類名】明細書
【補正対象項目名】００２６
【補正方法】変更
【補正の内容】
【００２６】
また、第１始動入賞口（第１始動口）１３ａを有する入賞装置の下側には、遊技球が入賞可能な第２始動入賞口１３ｂを有する可変入賞球装置１５が設けられている。第２始動入賞口（第２始動口）１３ｂに入賞した遊技球は、遊技盤６の背面に導かれ、第２始動口スイッチ１５ａ及び第２入賞確認スイッチ１５ｂによって検出される。可変入賞球装置１５は、ソレノイド１６によって開状態とされる。可変入賞球装置１５が開状態になることによって、遊技球が第２始動入賞口１３ｂに入賞可能になり（始動入賞し易くなり）、遊技者にとって有利な状態になる。可変入賞球装置１５が開状態になっている状態では、第１始動入賞口１３ａよりも、第２始動入賞口１３ｂに遊技球が入賞しやすい。また、可変入賞球装置１５が閉状態になっている状態では、遊技球は第２始動入賞口１３ｂに入賞しない。なお、可変入賞球装置１５が閉状態になっている状態において、入賞はしづらいものの、入賞することは可能である（すなわち、遊技球が入賞しにくい）ように構成されていてもよい。
【手続補正１３】
【補正対象書類名】明細書
【補正対象項目名】００３９
【補正方法】変更
【補正の内容】
【００３９】
遊技領域７の左側には、遊技中に点滅表示される装飾ＬＥＤ２５ａを有する装飾部材２５が設けられ、下部には、入賞しなかった遊技球を吸収するアウト口２６がある。また、遊技領域７の外側の左右上下部には、効果音を発する４つのスピーカ２７が設けられている。遊技領域７の外周には、天枠ＬＥＤ２８ａ、左枠ＬＥＤ２８ｂおよび右枠ＬＥＤ２８ｃが設けられている。天枠ＬＥＤ２８ａ、左枠ＬＥＤ２８ｂおよび右枠ＬＥＤ２８ｃおよび装飾ＬＥＤ２５ａは、遊技機に設けられている装飾発光体の一例である。
【手続補正１４】
【補正対象書類名】明細書
【補正対象項目名】００４０
【補正方法】変更
【補正の内容】
【００４０】
図１および図２では、図示を省略しているが、左枠ＬＥＤ２８ｂの近傍に、賞球払出中に点灯する賞球ランプが設けられ、天枠ＬＥＤ２８ａの近傍に、補給球が切れたときに点灯する球切れランプが設けられている。なお、賞球ランプおよび球切れランプは、賞球の払出中である場合や球切れが検出された場合に、演出制御基板に搭載された演出制御用マイクロコンピュータによって点灯制御される。さらに、特に図示はしないが、プリペイドカードが挿入されることによって球貸しを可能にするプリペイドカードユニット（以下、「カードユニット」という。）５０が、パチンコ遊技機１に隣接して設置されている。
【手続補正１５】
【補正対象書類名】明細書
【補正対象項目名】００８５
【補正方法】変更
【補正の内容】
【００８５】
軸部材３４０ａ，３４０ｂの上方位置には、昇降ギヤ部材３３２を下降位置にて保持するための保持部３４１ａ，３４１ｂが形成されている。
【手続補正１６】
【補正対象書類名】明細書
【補正対象項目名】０１２４
【補正方法】変更
【補正の内容】
【０１２４】
また、伝達ギヤ３３７ａ，３３７ｂ及び上ラックギヤ３５０ａ，３５０ｂには位置決め用マークＭ１が刻印されているとともに、中間ギヤ３６５ａ，３６５ｂ及び下ラックギヤ３５１ａ，３５１ｂにも位置決め用マークＭ２が刻印されていることで、位置決め用マークＭ１，２を合わせるように組み付けることで、誤った向きで組み付けてしまうことが防止されるとともに、目視により組み付け位置を確認できる。
【手続補正１７】
【補正対象書類名】図面
【補正対象項目名】図２０
【補正方法】変更
【補正の内容】
【図２０】
2014028226.tif 000001